(57)【要約】【課題】用紙の種類に応じてプロセススピードを変更した場合にも、印字品質が同程度となる画像形成装置のための現像装置を提供する。【解決手段】画像形成装置は、普通紙印刷モードと、プロセススピードの遅い厚紙印刷モードを有する。普通紙印刷モードにおける現像バイアスの直流成分（Ｖｄｃ）と、厚紙印刷モードにおける現像バイアスの直流成分（Ｖｄｃ）とは同じであり、厚紙印刷モードにおける現像バイアスの交流成分のデューティ（Ｄｕｔｙ）は、普通紙印刷モードにおける現像バイアスの交流成分のデューティ（Ｄｕｔｙ）よりも低く設定される。【選択図】図６
2018146670.tif 000002
【特許請求の範囲】
【請求項１】
第１の印刷モードと、前記第１の印刷モードよりもプロセススピードの遅い第２の印刷モードを有する画像形成装置で用いられる現像装置であって、
現像装置と感光体ドラムとの間に印加される現像バイアスは、直流成分に交流成分を重畳してなるバイアス電圧であり、
前記第１の印刷モードにおける現像バイアスの直流成分と、前記第２の印刷モードにおける現像バイアスの直流成分とは同じであり、
前記第２の印刷モードにおける現像バイアスの交流成分のデューティは、前記第１の印刷モードにおける現像バイアスの交流成分のデューティよりも低く設定されていることを特徴とする現像装置。
【請求項２】
請求項１に記載の現像装置であって、
上記画像形成装置では、前記第１の印刷モードでの交流成分のデューティに対する前記第２の印刷モードでの交流成分のデューティの減少ポイントは、０％を超え且つ２０％以下の範囲に設定されていることを特徴とする現像装置。
【請求項３】
請求項１又は２に記載の現像装置であって、
前記第１の印刷モードは、記録用紙として普通紙を用いる場合の印刷モードであり、
前記第２の印刷モードは、記録用紙として普通紙よりも坪量の大きい厚紙を用いる場合の印刷モードであることを特徴とする現像装置。
【請求項４】
請求項１乃至３の何れか一項に記載の現像装置であって、
前記印刷モードおよび前記第２の印刷モードの各印刷モードでは、同一のプロセススピードで印字を行うことを特徴とする現像装置。
【請求項５】
請求項１乃至４の何れか一項に記載の現像装置であって、
現像バイアスの直流成分を変更するプロセスコントロールが可能であり、
前記第１の印刷モードおよび前記第２の印刷モードのどちらか一方でプロセスコントロールが行われることによって決定した現像バイアスの直流成分が、他方の印刷モードに切り替えられた後もそのまま引き継がれることを特徴とする現像装置。
【請求項６】
請求項１乃至５の何れか１項に記載の現像装置であって、
同一の線幅又は同一のトナー付着量に対する前記第１の印刷モードにおける交流成分のデューティと前記第２の印刷モードにおける交流成分のデューティとの差分と、同一の線幅又は同一のトナー付着量に対する何れか一方の印刷モードにおける交流成分のデューティに基づいて、同一の線幅又は同一のトナー付着量に対する他方の印刷モードにおける交流成分のデューティを求めることを特徴とする現像装置。
【請求項７】
請求項１乃至５の何れか１項に記載の現像装置であって、
各印刷モードにおける線幅又は同一のトナー付着量とこれに対する交流成分のデューティとの対応関係を保持するテーブルと、各印刷モードにおける目的とする線幅又は同一のトナー付着量に基づいて、各印刷モードにおける交流成分のデューティを求めることを特徴とする現像装置。
【請求項８】
請求項１乃至５の何れか１項に記載の現像装置であって、
前記第１の印刷モードであるか、前記第２の印刷モードであるかに応じて前記交流成分の振幅も調整することを特徴とする現像装置。
【請求項９】
請求項１乃至８の何れか１項に記載の現像装置を備えることを特徴とする画像形成装置。
【請求項１０】
請求項１乃至８の何れか１項に記載の現像装置を備えることを特徴とする画像処理装置。
【請求項１１】
第１の印刷モードと、前記第１の印刷モードよりもプロセススピードの遅い第２の印刷モードを有する画像形成装置で用いられる現像方法であって、
現像装置と感光体ドラムとの間に印加される現像バイアスは、直流成分に交流成分を重畳してなるバイアス電圧であり、
前記第１の印刷モードにおける現像バイアスの直流成分と、前記第２の印刷モードにおける現像バイアスの直流成分とは同じであり、
前記第２の印刷モードにおける現像バイアスの交流成分のデューティは、前記第１の印刷モードにおける現像バイアスの交流成分のデューティよりも低く設定されていることを特徴とする現像方法。
【請求項１２】
請求項１乃至８の何れか１項に記載の現像装置としてコンピュータを機能させることを特徴とする現像装置用プログラム。
【発明の詳細な説明】
【技術分野】
【０００１】
本発明は、用紙の種類に応じてプロセススピードを変更して印字を行う現像装置、画像形成装置及び画像処理装置並びに画像形成方法に関する。
【背景技術】
【０００２】
従来、画像形成装置では、使用される用紙の種類に応じて用紙の搬送速度や定着時の加熱温度を制御する技術がある。例えば、特許文献１には、用紙が厚紙（もしくはＯＨＰシート）の場合、通常使用される普通紙よりも用紙の搬送速度を低くする、すなわち、プロセススピードを遅くすることが開示されている。
【０００３】
普通紙にトナーを定着する場合と、厚紙にトナーを定着させる場合とを比べると、厚紙の方がより加熱量を多くする必要がある。そこで、厚紙を用いる場合には、定着装置で十分に用紙が加熱されるように通紙速度を遅くしている。この場合、定着工程のみで通紙速度を遅くすることは困難であるため、現像工程等の他の工程を含むプロセス全体でプロセススピードを遅くする必要がある。
【０００４】
このように厚紙使用時にプロセススピードを遅くすると、定着工程は良好に行えるものの、現像工程においては感光体ドラム上（１次転写上）のトナー付着量が変わり、厚紙へのトナー付着量が普通紙へのトナー付着量より多くなる。これについては、一般的には厚紙使用時に現像バイアスの印加電圧（直流成分）を低下させ、トナー付着量を抑制することが考えられる。
【０００５】
しかしながら、普通紙使用時と厚紙使用時とで現像バイアスの印加電圧（直流成分）を変化させて、トナー付着量を揃えたとしても、これだけで印字品質が同じになるとは限らない。特許文献２では、厚紙使用時でプロセススピードを遅くする場合には、現像ＡＣバイアスの周波数を高くして、更に、これのピークトゥピークを大きくすることで、カブリを抑止することが開示されている。
【先行技術文献】
【特許文献】
【０００６】
【特許文献１】特開平８−３０５２１８号公報
【特許文献２】特開２００７−１２１９０６号公報
【特許文献３】特開２０１６−１６１７７２号公報
【発明の概要】
【発明が解決しようとする課題】
【０００７】
しかしながら、印字品質に関しては、細線再現性の課題がある。普通紙使用時と厚紙使用時とで現像バイアスの印加電圧（直流成分）を変化させる従来方法は、トナー付着量に関する課題を解決するものの、普通紙使用時と厚紙使用時とで細線の印字幅に相違が生じるといった細線再現性に関する課題を解決しないどころか、むしろ、普通紙使用時と比較して、厚紙使用時における細線再現性をより低下させてしまう。
【０００８】
特許文献２に開示の発明は、カブリを抑圧する効果を持つが、普通紙使用時と厚紙使用時とで細線の印字幅に相違が生じるといった細線再現性の課題を解決しない。
【０００９】
本発明は、上記課題に鑑みてなされたものであり、用紙の種類に応じてプロセススピードを変更する画像形成装置において、プロセススピードが異なる場合であっても、印字品質が同程度となる現像装置、画像形成装置、画像形成方法を提供することを目的とする。
【課題を解決するための手段】
【００１０】
上記の課題を解決するために、本発明は、第１の印刷モードと、前記第１の印刷モードよりもプロセススピードの遅い第２の印刷モードを有する画像形成装置であって、現像装置と感光体ドラムとの間に印加される現像バイアスは、直流成分に交流成分を重畳してなるバイアス電圧であり、前記第１の印刷モードにおける現像バイアスの直流成分と、前記第２の印刷モードにおける現像バイアスの直流成分とは同じであり、前記第２の印刷モードにおける現像バイアスの交流成分のデューティは、前記第１の印刷モードにおける現像バイアスの交流成分のデューティよりも低く設定されていることを特徴としている。
【００１１】
上記の構成によれば、第２の印刷モードにおいて、プロセススピードを遅くすることによる画像濃度の増加と、交流成分のデューティ（Duty）を小さくすることによる画像濃度の低下とのバランスが取られる。これにより、プロセススピードの遅い厚紙印刷モード第２の印刷モードでも、第１の印刷モード時と同程度の画像濃度を得ることができる。また、第２の印刷モードにおける細線の太さも、第１の印刷モード時と同程度の太さとすることができ、細線再現性も良好なものとすることができる。
【００１２】
また、上記画像形成装置では、「前記第１の印刷モードでの交流成分のデューティ」に対する「前記第２の印刷モードでの交流成分のデューティ」の低下分のポイントは、マイナス０％を超えマイナス２０％以下の範囲に設定されていることが好ましく、マイナス５％以上マイナス１５％以下の範囲に設定されていることがより好ましい。
【００１３】
また、上記画像形成装置では、前記第１の印刷モードは、記録用紙として普通紙を用いる場合の印刷モードであり、前記第２の印刷モードは、記録用紙として普通紙よりも坪量の大きい厚紙を用いる場合の印刷モードである構成とすることができる。
また、上記画像形成装置では、同一の印刷モードに対しては同一のプロセススピードを適用することができる。
【００１４】
また、上記画像形成装置では、濃度調整をデューティの調整のみですることができるので、前記第１の印刷モードおよび前記第２の印刷モードの何れか一方のプロセスコントロールに合わせて調整された現像バイアスの直流成分を、他方の印刷モードに切り替えられた後もそのまま引き継ぐような構成とすることもできる。そして、現像バイアスの直流成分に差が無ければ、第１の印刷モードと第２の印刷モードとで同程度の印字品質を得ることができる。
【００１５】
上記画像形成装置では、濃度調整をデューティの調整のみですることができるので、前記第１の印刷モードおよび前記第２の印刷モードの何れか一方のプロセスコントロールに合わせて調整された現像バイアスの直流成分を、他方の印刷モードに切り替えられた後もそのまま引き継ぐような構成とすることもできるという説明をしたが、各印刷モードに対して適用したデューティが異なることによる印刷モード間の直流の差分を補償するようにしてもよい。
【発明の効果】
【００１６】
本発明の画像形成装置は、第２の印刷モードにおいて、プロセススピードを遅くすることによる画像濃度の増加と、交流成分のデューティ（Duty）を小さくすることによる画像濃度の低下とのバランスが取られることで、第１の印刷モードと第２の印刷モードとで同程度の印字品質を得ることができるといった効果を奏する。
【図面の簡単な説明】
【００１７】
【図１】本発明の第１の実施の形態による複合機の概念的断面図である。
【図２】本発明の第１の実施の形態による複合機の機能ブロック図である。
【図３】図１、図２の画像形成装置における画像形成プロセスを説明する図である。
【図４】図１、図２の画像形成装置における現像装置の一部と感光体ドラムとの駆動部を示す斜視図である。
【図５】本発明の実施の形態による現像バイアスの電圧波形を示す波形図である。
【図６】本発明の実施の形態による普通紙印刷モードと厚紙印刷モードとの切替制御を行うための制御系を示すブロック図である。
【図７】本発明の実施の形態による普通紙印刷モードと厚紙印刷モードとの切替タイミングを説明するフローチャートである。
【図８】本発明の実施の形態による普通紙印刷モードと厚紙印刷モードでのトナー付着量測定について実験結果を示す表である。
【図９】普通紙印刷モードと厚紙印刷モードでの細線再現性について実験結果を示す表である。
【発明を実施するための形態】
【００１８】
以下、本発明の実施の形態について、図面を参照して詳細に説明する。
【００１９】
［第１の実施の形態］
第１の実施の形態は、第２以下の実施の形態による画像形成装置を含む複合機８００に関するものである。図１、図２、図３は、複合機８００の構成などを示すものである。
【００２０】
図１及び図２に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【００２１】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００２２】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図２に示す構成要素の他に、図２は示されないが図１に示される構成要素も含む。また、図１に示すように、読取装置本体８２２には、原稿台８２６が備わる。
【００２３】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００２４】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００２５】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００２６】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム２１３Ｙ〜２１３Ｋと、これらの表面を露光する露光装置２１１と、感光体ドラム２１３Ｙ〜２１３Ｋの表面に形成されたトナー像をシートに転写する転写部（転写手段）２１６と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００２７】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００２８】
プロセスカートリッジ３１Ｙは、像担持体としての感光体ドラム２１３Ｙと、感光体ドラム２１３Ｙを帯電させる帯電器２１５Ｙと、感光体ドラム２１３Ｙ上に形成された静電潜像を現像する現像装置２１２Ｙと、感光体ドラム２１３Ｙの表面に残留するトナーを除去するドラムクリーナ２１４と、を備えている。現像装置２１２Ｙは、感光体ドラム２１３Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００２９】
露光装置２１１は、レーザ光を照射する光源（図示せず）と、レーザ光を感光体ドラム２１３Ｙ〜２１３Ｋに導く複数のミラー（図示せず）等と、を備えている。転写部２１６は、感光体ドラム２１３Ｙ〜２１３Ｋに形成されたトナー像を担持する中間転写ベルト２２１と、感光体ドラム２１３Ｙ〜２１３Ｋに形成されたトナー像を中間転写ベルト２２１に一次転写する一次転写ローラ２１７Ｙ〜２１７Ｋと、中間転写ベルト２２１に転写されたトナー像をシートに二次転写する二次転写ローラ３７と、中間転写ベルト２２１に残留するトナーを除去するベルトクリーナ３８と、を備えている。中間転写ベルト２２１は、駆動ローラ３９ａ及び従動ローラ３９ｂに掛け渡されており、一次転写ローラ２１７Ｙ〜２１７Ｋによって感光体ドラム２１３Ｙ〜２１３Ｋに押し付けられている。二次転写ローラ３７は、駆動ローラ３９ａとで中間転写ベルト２２１をニップ（挟持）しており、ニップ部Ｎで中間転写ベルト２２１が担持するトナー像をシートに転写する。定着部３４は、シートを加熱する加熱ローラ３４ａと、加熱ローラ３４ａに圧接する加圧ローラ３４ｂと、を備えている。なお、一次転写ローラ２１７（２１７Ｙ〜２１７Ｋ）には、電源２１８から電源が供給されている。
【００３０】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図１の紙面の手前側に対応し、裏面側は図１の背面側に対応する。
【００３１】
図２に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【００３２】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【００３３】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【００３４】
読取装置本体８２２により原稿の画像が読み取られると、読み取られた原稿の画像情報に基づいて、露光装置２１１が感光体ドラム２１３Ｙ〜２１３Ｋに向けて、それぞれに対応する複数のレーザ光を照射する。このとき、感光体ドラム２１３Ｙ〜２１３Ｋは、それぞれ、帯電器２１５Ｙ〜２１５Ｋにより予め帯電されており、それぞれに対応するレーザ光が照射されることで感光体ドラム２１３Ｙ〜２１３Ｋ上にそれぞれの静電潜像が形成される。その後、現像装置２１２Ｙ〜２１２Ｋにより感光体ドラム２１３Ｙ〜２１３Ｋ上にそれぞれ形成された静電潜像が現像され、感光体ドラム２１３Ｙ〜２１３Ｋ上に、イエロー（Ｙ）、マゼンタ（Ｍ）、シアン（Ｃ）及びブラック（Ｋ）のトナー像が形成される。感光体ドラム２１３Ｙ〜２１３Ｋ上に形成された各色のトナー像は、一次転写ローラ２１７Ｙ〜２１７Ｋによって中間転写ベルト２２１に重畳転写され、重畳転写されたトナー像（フルカラーのトナー像）は、中間転写ベルト２２１に担持された状態でニップ部Ｎまで搬送される。
【００３５】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト２２１が担持するフルカラーのトナー像が転写される。
【００３６】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００３７】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【００３８】
［第２の実施の形態］
画像形成装置１００では、記録用紙に厚紙を用いる場合には、普通紙を用いる場合に比べてプロセススピードが遅くなる（印刷プロセスにおける用紙搬送速度や中間転写ベルト２１の回転速度が遅くなる）ように設定されている。これは、厚紙にトナー像を定着するための熱量が、普通紙にトナー像を定着するための熱量よりも多く必要となり、そのための熱量を定着装置１７において確保するためである。尚、普通紙よりも多くの定着熱量を必要とする記録用紙であれば、厚紙以外（例えばＯＨＰシート）であってもプロセススピードが遅くされる。
【００３９】
すなわち、本実施の形態に係る画像形成装置１００は、プロセススピードの互いに異なる少なくとも２つの印刷モードを有している。以下の説明では、画像形成装置１００が、普通紙印刷モード（第１の印刷モード）と、普通紙印刷モードよりもプロセススピードの遅い厚紙印刷モード（第２の印刷モード）とを有しているものとして説明を行う。ここでは、紙の坪量値が１０５ｇ／ｍ２以下の用紙を普通紙、紙の坪量値が１０５ｇ／ｍ２を超える用紙を厚紙とする。
【００４０】
普通紙印刷モードと厚紙印刷モードとでは、厚紙印刷モードの方が現像工程でのプロセススピードも遅くなる。本実施形態は、プロセススピードに応じて現像バイアスを制御し、プロセススピードの相違による現像の変化を抑制して、普通紙印刷モードと厚紙印刷モードとでの印刷品質を揃えるようにした点に特徴を有する。以下、この特徴について詳細に説明する。
【００４１】
図４は、現像装置２１２（図１に示す現像装置２１２Ｙ、２１２Ｍ、２１２Ｃ、２１２Ｋ）の一部と感光体ドラム２１３との駆動部を示す斜視図である。ここで、現像装置２１２は非磁性二成分現像剤を用いる現像装置を例示し、図４では現像装置２１２が有するマグネットローラ２１２Ａのみを図示している（現像剤槽等は図示を省略している）。尚、マグネットローラ２１２Ａは、具体的には、感光体ドラム２１３と所定の間隔を空けて対向配置される円筒形状の現像スリーブと、現像スリーブの内周側に固定配置されるマグネットから構成される。現像スリーブおよび感光体ドラム２１３は、それぞれがモータ２５１、２５２によって回転駆動される。また、現像スリーブと感光体ドラム２１３との間には、現像バイアス電源２１９によって現像バイアスが印加される。この現像バイアスは、図５に示すように、直流（ＤＣ）成分に交流（ＡＣ）成分を重畳してなるバイアス電圧である。図５の例では、マイナスＶｄｃボルトの直流バイアスに、デューティＤｕｔｙがｔ（−）／Ｔの交流バイアスを重畳している。
【００４２】
本実施の形態に係る画像形成装置１００は、普通紙印刷モードと厚紙印刷モードとで、現像バイアスの交流成分のデューティ（Ｄｕｔｙ）を変化させることを特徴としている。具体的には、プロセススピードの遅い厚紙印刷モードでの交流成分のデューティ（Ｄｕｔｙ）を、普通紙印刷モードの交流成分のデューティ（Ｄｕｔｙ）よりも小さくしている。また、現像バイアスの直流成分（Ｖｄｃ）については変化させない。
【００４３】
図５に示すような現像バイアスを印加することにより、トナーが現像スリーブと感光体ドラム２１３との間を往復運動しつつ、感光体ドラム２１３表面の静電潜像がトナーにより現像される。この時、現像バイアスの交流成分のデューティ（Ｄｕｔｙ）を小さくするほど、感光体ドラム２１３へのトナー付着量は少なくなり、画像濃度は低下する。
【００４４】
本実施の形態に係る画像形成装置１００では、厚紙印刷モードにおいて、プロセススピードを遅くする（単位面積あたりの現像時間が長くなる）ことによる画像濃度の増加と、交流成分のデューティ（Ｄｕｔｙ）を小さくすることによる画像濃度の低下とのバランスが取られる。これにより、プロセススピードの遅い厚紙印刷モードでも、普通紙印刷モード時と同程度の画像濃度を得ることができる。また、厚紙印刷モードにおける細線の太さも、普通紙印刷モード時と同程度の太さとすることができ、細線再現性も良好なものとすることができる。
【００４５】
また、本実施の形態に係る画像形成装置１００では、普通紙印刷モードと厚紙印刷モードとで現像バイアスの直流成分は同じであるため、プロセスコントロールを両方の印刷モードで同じように実行することができる。ここでのプロセスコントロールは、連続印字等の際に、現像バイアスの直流成分を適宜調整して画像濃度を一定に保つ制御を意味する。例えば、普通紙印刷モードでの使用中にプロセスコントロールを行い、さらに、その状態で厚紙印刷モードに切り替えた場合、現像バイアスの直流成分については変化させずに、プロセスコントロールによる調整濃度をそのまま引き継いだ印字が可能となる。すなわち、普通紙印刷モードおよび厚紙印刷モードのどちらか一方でプロセスコントロールが行われることによって変更された現像バイアスの直流成分を、他方の印刷モードに切り替えられた後もそのまま引き継ぐことが可能となる。
【００４６】
図６は、本実施の形態に係る画像形成装置１００において、普通紙印刷モードと厚紙印刷モードとの切替制御を行うための制御系を示すブロック図である。図６に示すように、上記制御系は、プロセススピード制御部６１、用紙判定部６２、メモリ６３、モータ制御部６４および電源制御部６５により構成されている。尚、プロセススピード制御部６１は、普通紙印刷モードと厚紙印刷モードとの切替において、現像に係る手段のみならず、露光／転写／定着／用紙搬送等、画像形成プロセスに関る全ての手段におけるプロセススピードを制御する。しかしながら、ここでは、現像に係る手段の制御部分のみを図示している。また、プロセススピード制御部６１は、ハードウェア、ソフトウェア又はこれらの組み合わせにより構成される。
【００４７】
用紙判定部６２は、使用される記録用紙の種類を判定し、その判定結果をプロセススピード制御部６１に通知する。ここでの判定は、例えば、以下の（Ａ）または（Ｂ）の手法により行われる。
【００４８】
（Ａ）ユーザが用紙の種類を選択する場合、この選択入力信号に基づいて用紙種類を判定する。
【００４９】
（Ｂ）記録用紙の厚みを検出する厚みセンサを備え、この厚みセンサの検出信号に基づいて用紙種類を判定する。
【００５０】
プロセススピード制御部６１は、用紙判定部６２から通知される用紙判定結果に基づいて普通紙印刷モードと厚紙印刷モードとの切替制御を行う。具体的には、モータ制御部６４を介してモータ２５１、２５２の回転速度制御を行うと共に、電源制御部６５を介して現像バイアス電源２１９による現像バイアス制御を行う。上述したように、この場合の現像バイアス制御とは、現像バイアスの交流成分のデューティ（Ｄｕｔｙ）を変化させる制御である。上記制御を行うに当たっての制御値はメモリ６３に予め格納されており、プロセススピード制御部６１によりメモリ６３から読み出される。
【００５１】
次に、本実施の形態に係る画像形成装置１００において、普通紙印刷モードと厚紙印刷モードとの切替タイミングについて、図７のフローチャートを参照して説明する。
【００５２】
先ず、コピーまたはプリントジョブの印刷要求が出される（Ｓ１）と、該ジョブにおいて用いられる記録用紙の種類が普通紙であるか厚紙であるかの判定がなされる（Ｓ２）。そして、Ｓ２で判定された用紙種類が、直前のジョブにおける用紙種類と同じであるか否かが判定される（Ｓ３）。同じであれば（Ｓ３でＹＥＳ）、Ｄｕｔｙ値はそのままの設定から変更されること無くジョブ出力が実行される（Ｓ４）。一方、同じでなければ（Ｓ３でＮＯ）、Ｄｕｔｙ値が変更されてジョブ出力が実行される（Ｓ５）。すなわち、Ｓ５では、直前のジョブが普通紙であり新たなジョブが厚紙であれば、普通紙印刷モードに対応するＤｕｔｙから厚紙印刷モードに対応するＤｕｔｙに変更される。また、直前のジョブが厚紙であり新たなジョブが普通紙であれば、厚紙印刷モードに対応するＤｕｔｙから普通紙印刷モードに対応するＤｕｔｙに変更される。尚、画像形成装置１００の起動時には、最初に現像バイアスの交流成分のＤｕｔｙは普通紙印刷モードに対応するＤｕｔｙに設定されるものとする。
【実施例】
【００５３】
本発明の効果を確認するために、普通紙印刷モードと厚紙印刷モードでのトナー付着量測定および細線再現性について実験を行い評価した。実験は、普通紙印刷モードと厚紙印刷モードとで現像バイアスの交流成分のデューティを異ならせた。実験条件は以下の通りである。
【００５４】
（トナー付着量測定）
測定方法：現像装置としてカラー複合機（商品名：ＭＸ−５１４０ＦＮ、シャープ株式会社製）を用いて現像を行い、１次転写上のトナーを吸引することにより重量を測定し、単位面積当たりのトナー重量をトナー付着量とした。
【００５５】
（細線再現性）
測定方法：６００ｄｐｉで作成した主走査方向の１ライン画像を出力し、マイクロスコープで詳細画像を撮像し、その画像から線幅を測定した。
【００５６】
（用紙種類）
普通紙は坪量値９０ｇ／ｍ２（商品名：Color Copy 90g、Ｍｏｎｄｉ社製）、厚紙は坪量値２５０ｇ／ｍ２（商品名：Color Copy 250g、Ｍｏｎｄｉ社製）を用いた。
【００５７】
実験結果を図８、図９に示す。これらの図は、普通紙印刷モードと厚紙印刷モードとで現像バイアスの交流成分のデューティ（Ｄｕｔｙ）を変化させることで、厚紙印刷モード時にプロセススピードを遅くすることによる印刷画像の画質への影響を低減していることを示す。
【００５８】
まず、Ｄｕｔｙが同じならば、普通紙モードでのトナー付着量に対し、厚紙モードはトナー付着量が増加している。例えば、Ｄｕｔｙが７０％ならば、普通紙モードでのトナー付着量は０．３８ｍｇ／ｃｍ２であるのに対し、厚紙モードでのトナー付着量は０．４１ｍｇ／ｃｍ２である。
【００５９】
更に、普通紙モードで、ディーティーを増加させるとトナー付着量が増加している。例えば、普通紙モードに対しては、Ｄｕｔｙが６２％ならば、トナー付着量は０．３５ｍｇ／ｃｍ２であるのに対し、Ｄｕｔｙが７０％ならば、トナー付着量は０．３８ｍｇ／ｃｍ２である。また、厚紙モードに対しては、Ｄｕｔｙが６２％ならば、トナー付着量は０．３８ｍｇ／ｃｍ２であるのに対し、Ｄｕｔｙが７０％ならば、トナー付着量は０．４１ｍｇ／ｃｍ２である。
【００６０】
従って、普通紙モードと厚紙モードでトナー付着量を０．３８ｍｇ／ｃｍ２に揃えるためには、普通紙モードに対しては、Ｄｕｔｙを７０％に設定し、厚紙モードに対しては、これよりも８ポイント少ないＤｕｔｙを６２％に設定すればよい。
【００６１】
ここで、図８に示すように、Ｄｕｔｙ対付着量の関係は、普通紙モードでも厚紙モードでも一次の関係であり、しかも、両方の傾きがほぼ等しいので、任意の付着量に対して、普通紙モードにおけるＤｕｔｙが決定したならば、厚紙モードにおけるものは、それよりも８ポイント少ないＤｕｔｙを設定すれば付着量を両モードで揃えることができることがわかる。従って、付着量を揃えるためには、普通紙モードにおいての濃度を反映したＰＷＭ制御信号に８ポイント分のオフセット調整を減らしたＰＷＭ信号を厚紙モードで用いれば良いことになる。
【００６２】
また、細線幅を比較する図９を参照すると、普通紙印刷モードに比較して厚紙印刷モードでの細線幅が増大している。また、デューティを増加させると細線幅が増加している。これにより、厚紙印刷モード時に現像バイアスの交流成分のデューティ（Ｄｕｔｙ）を小さくすることで細線幅の変化を低減させ、印刷画像の画質への影響を低減させることに対し、有効であることがわかる。
【００６３】
次に、線幅の調整方法についての説明をする。まず普通紙モードにて画質の設計を行う。その際、画質の要求レベルやトナー消費量にも左右されるが、線幅としては８０〜１００μｍ程度が設計目標になる場合が多くなる。図９から明らかなように、普通紙モードで８０〜１００μｍに対応するデューティの設定としては、概ね５０〜８０％の間で設計される（８０％を超えると交流バイアスの効果が薄れ逆に線幅が狭くなる。）
図９に示す実施例では、普通紙モードにて設計したデューティが７０％としたうえで、同様の線幅を厚紙モードで再現にするには６０％程度であることを示している。但し、一般に、画質の形成条件によってデューティの最適値は変わる。
【００６４】
また、デューティの他の調整方法について説明をする。モードが決定したら、そのモードにおけるデューティ対付着量の対応関係を保持するテーブル及び／又は線幅対デューティの対応関係を保持するテーブルを参照する。例えば、目的とする付着量が決まったならば、付着量対デューティの対応関係のテーブルより、その付着量に対応するデューティを取得し、それを、ＰＷＭ信号のデューティとする。また、目的とする線幅が決まったならば、線幅対デューティの対応関係のテーブルより、その線幅に対応するデューティを取得し、それを、ＰＷＭ信号のデューティとする。
【００６５】
また、上述のデューティ調整に例えば、特許文献３に記載されている交流バイアスの振幅調整を組合せることもできる。例えば、目的とする線幅や付着量を実現するためにデューティのみで全ての補正をするのではなく、一部をデューティで調整し、残りを交流バイアスの振幅で調整しても良い。これらの組み合わせにより、細線での太さをより太くすることも可能となる。また、線幅をデュティ調整及び交流バイアスの振幅調整の一方で調整し、付着量を他方で調整してもよい。線幅をデュティ調整及び交流バイアスの振幅調整の一方で主に調整し、付着量を他方で主に調整してもよい。
【００６６】
なお、上記で一例を示した複合機一部の機能のみを含む画像処理装置又は上述した複合機に機能を追加した画像処理装置であって、画像形成装置を含むものも本発明の実施形態に含まれる。
【００６７】
上記の画像形成装置は、ハードウェア、ソフトウェア又はこれらの組合わせにより実現することができる。また、上記の画像形成装置により行なわれる画像形成方法も、ハードウェア、ソフトウェア又はこれらに組合わせにより実現することができる。ここで、ソフトウェアによって実現されるとは、コンピュータがプログラムを読み込んで実行することにより実現されることを意味する。
【００６８】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６９】
本発明は、その精神または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００７０】
本発明は、画像形成装置又は画像処理装置に適用することができる。
【符号の説明】
【００７１】
１６      転写部
１７      定着装置
２１      中間転写ベルト
２３      ２次転写装置
２４      ドラムクリーナ
６１      プロセススピード制御部
６２      用紙判定部
６３      メモリ
６４      モータ制御部
６５      電源制御部
１００    画像形成装置
１１０    本体部
１２０    原稿読取部
１３０    原稿搬送装置
２１１      露光装置
２１２      現像装置
２１２Ａ      マグネットローラ
２１３      感光体ドラム
２１４      ドラムクリーナ
２１５      帯電器
２１６      転写部（転写手段）
２１７      一次転写ローラ
２１８      電源
２１９      現像バイアス電源
２５１、２５２    モータ
【図１】
2018146670.tif 000003
【図２】
2018146670.tif 000004
【図３】
2018146670.tif 000005
【図４】
2018146670.tif 000006
【図５】
2018146670.tif 000007
【図６】
2018146670.tif 000008
【図７】
2018146670.tif 000009
【図８】
2018146670.tif 000010
【図９】
2018146670.tif 000011